(57)【要約】【課題】圃場面を均平に整地できる農作業機を提供する。【解決手段】農作業機１は、耕耘作業をする耕耘体と、この耕耘体の後方で整地作業をする整地体７とを備える。整地体７は、第１整地板11と、この第１整地板11に回動可能に連結した第２整地板12とを有する。第２整地板12は、調整部材43の整地部材42に対する左右位置変更によって大きさを調整可能な複数の切欠部41を有する。【選択図】図１
2015123029.tif 000002
【特許請求の範囲】
【請求項１】
耕耘作業をする耕耘体と、
この耕耘体の後方で整地作業をする整地体とを備え、
前記整地体は、大きさを調整可能な切欠部を有する
ことを特徴とする農作業機。
【請求項２】
耕耘作業をする耕耘体と、
この耕耘体の後方で整地作業をする整地体とを備え、
前記整地体は、
複数の切欠部が形成された整地部材と、
この整地部材に対して位置変更可能な調整部材とを有し、
前記調整部材の前記整地部材に対する位置変更により、前記複数の切欠部のうちの少なくとも１つの切欠部の大きさを調整することが可能となっている
ことを特徴とする農作業機。
【請求項３】
調整部材は、整地部材に対して少なくとも左右移動により位置変更可能となっている
ことを特徴とする請求項２記載の農作業機。
【請求項４】
調整部材は、整地部材に対して少なくとも前後移動により位置変更可能となっている
ことを特徴とする請求項２記載の農作業機。
【請求項５】
調整部材は、整地部材に対して少なくとも回動により位置変更可能となっている
ことを特徴とする請求項２記載の農作業機。
【請求項６】
調整部材は、整地部材の上面に沿ってスライド可能に設けられている
ことを特徴とする請求項２ないし５のいずれか一記載の農作業機。
【請求項７】
調整部材を整地部材に対して解除可能に固定する固定手段を備え、
前記固定手段は、工具なしで操作可能となっている
ことを特徴とする請求項２ないし６のいずれか一記載の農作業機。
【請求項８】
少なくとも走行車の走行輪の後方に位置する切欠部の大きさを調整することが可能となっている
ことを特徴とする請求項１ないし７のいずれか一記載の農作業機。
【請求項９】
切欠部は、後方に向かって開口する三角形状に形成されている
ことを特徴とする請求項１ないし８のいずれか一記載の農作業機。
【発明の詳細な説明】
【技術分野】
【０００１】
本発明は、圃場面を均平に整地できる農作業機に関するものである。
【背景技術】
【０００２】
従来、例えば特許文献１に記載された代掻機等の農作業機が知られている。
【０００３】
この従来の農作業機は、例えばトラクタ等の走行車の後部に連結される機体と、この機体に回転可能に設けられ、所定方向に回転しながら耕耘作業をする耕耘体と、この耕耘体の後方で整地作業をする整地体とを備えている。
【０００４】
また、整地体は、左右方向に並んで位置する複数の切欠部を後端部に有しており、これら複数の切欠部は、すべて均等な大きさに形成されて開口量が一定となっている。
【先行技術文献】
【特許文献】
【０００５】
【特許文献１】実開昭５９−５５４１１号公報（第１図）
【発明の概要】
【発明が解決しようとする課題】
【０００６】
しかしながら、上記従来の農作業機では、例えば圃場の土質や作業方法等によっては、圃場面に凹凸が残り、圃場面が均平に整地されない場合がある。
【０００７】
本発明は、このような点に鑑みなされたもので、圃場面を均平に整地できる農作業機を提供することを目的とする。
【課題を解決するための手段】
【０００８】
請求項１記載の農作業機は、耕耘作業をする耕耘体と、この耕耘体の後方で整地作業をする整地体とを備え、前記整地体は、大きさを調整可能な切欠部を有するものである。
【０００９】
請求項２記載の農作業機は、耕耘作業をする耕耘体と、この耕耘体の後方で整地作業をする整地体とを備え、前記整地体は、複数の切欠部が形成された整地部材と、この整地部材に対して位置変更可能な調整部材とを有し、前記調整部材の前記整地部材に対する位置変更により、前記複数の切欠部のうちの少なくとも１つの切欠部の大きさを調整することが可能となっているものである。
【００１０】
請求項３記載の農作業機は、請求項２記載の農作業機において、調整部材は、整地部材に対して少なくとも左右移動により位置変更可能となっているものである。
【００１１】
請求項４記載の農作業機は、請求項２記載の農作業機において、調整部材は、整地部材に対して少なくとも前後移動により位置変更可能となっているものである。
【００１２】
請求項５記載の農作業機は、請求項２記載の農作業機において、調整部材は、整地部材に対して少なくとも回動により位置変更可能となっているものである。
【００１３】
請求項６記載の農作業機は、請求項２ないし５のいずれか一記載の農作業機において、調整部材は、整地部材の上面に沿ってスライド可能に設けられているものである。
【００１４】
請求項７記載の農作業機は、請求項２ないし６のいずれか一記載の農作業機において、調整部材を整地部材に対して解除可能に固定する固定手段を備え、前記固定手段は、工具なしで操作可能となっているものである。
【００１５】
請求項８記載の農作業機は、請求項１ないし７のいずれか一記載の農作業機において、少なくとも走行車の走行輪の後方に位置する切欠部の大きさを調整することが可能となっているものである。
【００１６】
請求項９記載の農作業機は、請求項１ないし８のいずれか一記載の農作業機において、切欠部は、後方に向かって開口する三角形状に形成されているものである。
【発明の効果】
【００１７】
本発明によれば、適切な整地作業をすることが可能であり、圃場面を均平に整地することができる。
【図面の簡単な説明】
【００１８】
【図１】本発明の第１の実施の形態に係る農作業機の背面図である。
【図２】同上農作業機の片側折り畳み状態の背面図である。
【図３】同上農作業機の後端整地部の部分平面図である。
【図４】同上農作業機の第２整地板を示す図で、（ａ）が平面図、（ｂ）が背面図、（ｃ）が側面図である。
【図５】本発明の第２の実施の形態に係る農作業機の第２整地板を示す図で、（ａ）が平面図、（ｂ）が背面図、（ｃ）が側面図である。
【図６】本発明の第３の実施の形態に係る農作業機の第２整地板を示す図で、（ａ）が平面図、（ｂ）が背面図、（ｃ）が側面図である。
【図７】本発明の第４の実施の形態に係る農作業機の第２整地板の平面図である。
【図８】（ａ）ないし（ｃ）は本発明の第５の実施の形態に係る農作業機の第２整地板の平面図である。
【図９】本発明の第６の実施の形態に係る農作業機の第２整地板の平面図である。
【発明を実施するための形態】
【００１９】
本発明の第１の実施の形態について図１ないし図４を参照して説明する。
【００２０】
図中の１は農作業機で、この農作業機１は、例えば走行車であるトラクタ（図示せず）の後部に連結され、そのトラクタの前進走行により水田等の圃場を前方（進行方向）に移動しながら農作業である代掻作業（耕耘整地作業）をする代掻機である。
【００２１】
農作業機１は、図１および図２等に示されるように、トラクタの後部に脱着可能に連結される中央作業部２と、この中央作業部２の左右両側に回動中心軸（回動支点）５を中心として上下方向に回動可能に設けられた延長作業部３と、この延長作業部３を中央作業部２に対して回動中心軸５を中心として回動させる回動駆動手段であるシリンダ部４とを具備している。
【００２２】
左右の各延長作業部３は、回動中心軸５を中心とする折畳方向への回動により中央作業部２上に位置する折畳非作業状態となり、回動中心軸５を中心とする展開方向への回動により中央作業部２の側方に位置する展開作業状態となる。
【００２３】
そして、このような折り畳み可能な３分割の農作業機１は、中央作業部２と左右両方の延長作業部３とによる作業状態と、中央作業部２と左右いずれか一方のみの延長作業部３とによる作業状態と、中央作業部２のみによる作業状態とに、それぞれ選択的に切り換え可能となっている。
【００２４】
中央作業部２は、図示しないトラクタの後部の３点リンク部（作業機昇降装置）に脱着可能に連結される機体６と、この機体６に回転可能に設けられ、所定方向に回転しながら耕耘作業をするロータリー式の耕耘体（図示せず）と、この耕耘体の後方で整地作業をする整地体７とを備えている。
【００２５】
耕耘体は、トラクタ側からの動力に基づいて回転する左右方向長手状の耕耘軸を有し、この耕耘軸の爪ホルダ部には複数の耕耘爪が取り付けられている。そして、機体６は、その耕耘体の上方部を覆う湾曲板状のカバー部８を有し、このカバー部８の後端部に整地体７が上下方向に回動可能に設けられている。
【００２６】
整地体７は、機体６のカバー部８の後端部に左右方向の軸を介して上下方向に回動可能に連結された板状の第１整地部である第１整地板（均平板）11と、この第１整地板11の下端部に左右方向の軸を介して上下方向に回動可能に連結された板状の第２整地部である第２整地板（レーキ）12とを有している。
【００２７】
第２整地板12は、左右方向長手状の整地板本体部13を有し、この整地板本体部13の左右方向両端部には、係合凸部14が突設されている。整地板本体部13の左右方向中央部と機体６の左右方向中央部との間に整地板設定手段16が架設されている。
【００２８】
そして、第２整地板12は、整地作業時（代掻作業時）には整地板設定手段16によって水平姿勢（略水平姿勢を含む）に設定され、土引き作業時には整地板設定手段16によって鉛直姿勢（略鉛直姿勢を含む）に設定される。
【００２９】
左右１対の延長作業部３は、中央作業部２の作業を延長可能なもので、左右対称の構成となっており、この各延長作業部３は、中央作業部２の機体６の左右方向端部に回動中心軸５を中心として上下方向に回動可能に設けられた延長機体21と、この延長機体21に回転可能に設けられ、所定方向に回転しながら耕耘作業をするロータリー式の延長耕耘体23と、この延長耕耘体23の後方で整地作業をする延長整地体22とを備えている。
【００３０】
延長耕耘体23は、中央作業部２側からの動力に基づいて回転する左右方向長手状の延長耕耘軸24を有し、この延長耕耘軸24の爪ホルダ部25には複数の延長耕耘爪26が取り付けられている。そして、延長機体21は、その延長耕耘体23の上方部を覆う湾曲板状のカバー部28を有し、このカバー部28の後端部に延長整地体22が上下方向に回動可能に設けられている。
【００３１】
延長整地体22は、延長機体21のカバー部28の後端部に左右方向の軸を介して上下方向に回動可能に連結された板状の第１延長整地部である第１延長整地板（延長均平板）31と、この第１延長整地板31の下端部に左右方向の軸を介して上下方向に回動可能に連結された板状の第２延長整地部である第２延長整地板（延長レーキ）32と、この第２延長整地板32の外側端部に前後方向の軸を介して上下方向に回動可能に連結された板状の補助整地部である補助整地板（補助レーキ）33とを有している。
【００３２】
第２延長整地板32は、延長作業部３の展開作業状態時には、中央作業部２の第２整地板12の整地板本体部13と同一面上に位置して作業をする左右方向長手状の延長整地板本体部36を有している。この延長整地板本体部36の内側端部には、延長作業部３の展開作業状態時に第２整地板12の係合凸部14と係脱可能に係合する係合凹部37が設けられている。
【００３３】
補助整地板33は、外側端部ほど前後方向長さ寸法が大きな略矩形状をなす板状の本体部38を有し、この本体部38の内側端部に取付部39が設けられ、この取付部39が延長整地板本体部36の外側端部に回動可能に取り付けられている。
【００３４】
そして、補助整地板33は、補助整地板回動用の駆動手段40によって展開作業状態および折畳非作業状態に選択的に切り換えられる。補助整地板33の展開作業状態時には、補助整地板33の本体部38は、整地板本体部13および延長整地板本体部36と同一面上に位置して作業をする。
【００３５】
ここで、図１ないし図４に示されるように、中央作業部２の整地体７の第２整地板12は、圃場の泥水を後方へ流出させるための開口面積の大きさ（開口量）を調整可能な複数の泥水流出用の切欠部（エジャクター部）41を後端側に有している。
【００３６】
つまり、第２整地板12の整地板本体部13は、互いに間隔をおいて左右方向に並んで位置する複数の切欠部41が後端部に後方に向かって開口するように切欠き形成され、耕耘体の後方で水平姿勢となって整地作業をする左右方向長手状で板状の整地部材42と、この整地部材42に対して少なくとも左右移動（例えば左右移動のみ）により位置変更可能な板状の複数（例えば６枚）の調整部材43とを有している。
【００３７】
そして、調整部材43の整地部材42に対する位置変更（例えば左右移動）により、複数の切欠部41の大きさ、すなわち整地体７による整地作業時における複数の切欠部41の平面視開口面積の大きさを調整することが可能となっている。
【００３８】
整地部材42は、平板部44を後端部に有し、この平板部44に複数の切欠部41が後方に向かって開口する平面視三角形状（略三角形状を含む）にすべて同一寸法で形成されている。整地部材42の平板部44のうち、互いに隣り合う両切欠部41間に位置する部分には、円形状のねじ挿通用孔45が形成されている。
【００３９】
なお、整地部材42の上面には、左右方向長手状の角パイプ部材35が固設されている。また、整地部材42に形成される複数の切欠部41がすべて同一寸法である必要は必ずしもなく、一部が異なる寸法であってもよい。
【００４０】
調整部材43は、例えば複数（例えば２個或いは３個）の切欠部41に対して同時にそれらの大きさを調整可能なもので、左右方向にやや長手状の平板状に形成され、その左右方向長さ寸法が少なくとも２個の切欠部41よりも長くなっている。そして、平板状の調整部材（スライド部材）43は、整地部材42の平板部44の上面にこの上面に沿って左右方向にスライド可能に設けられ、その平板部44の上面に重なり合っている。
【００４１】
また、調整部材43には、整地部材42の切欠部41と同一寸法の平面視三角形状（略三角形状を含む）の複数の切欠部分46が後方に向かって開口するように切欠き形成されている。調整部材43には、左右方向に長手方向を有する複数のスライド孔である長孔47が形成されている。
【００４２】
そして、整地部材42の下方側から雄ねじ48がねじ挿通用孔45および長孔47に挿通され、この挿通された雄ねじ48の上部に雌ねじ49が螺合されることによって、調整部材43が整地部材42にその上面に沿って左右方向にスライド可能に取り付けられている。
【００４３】
雄ねじ48は、例えばトラスねじ或いはナベ小ねじ等であるが、整地部材42の下面からの突出量が小さくなるよう、ねじ頭部の小さいものが好ましい。雌ねじ49は、六角ナット、蝶ナット或いはノブナット等であるが、作業者が工具を用いずに手動で操作可能なものが好ましい。なお、これら雄ねじ48および雌ねじ49にて、調整部材43を整地部材42に対して解除可能に固定する固定手段50が構成されており、この固定手段50は例えば工具なし（工具レス）で手動操作可能となっている。
【００４４】
そして、雌ねじ49を緩めて固定手段50による固定を解除した状態で、調整部材43を整地部材42に対して切欠部41と切欠部分46とが互いにずれるように整地部材42の上面に沿って閉方向へスライドさせると、切欠部41の一部が調整部材43にて閉鎖され、その分だけ切欠部41の大きさが小さくなるが、調整部材43を逆の開方向にスライドさせれば、閉鎖されていた部分が開口する。
【００４５】
また、延長作業部３の延長整地体22の第２延長整地板32も、第２整地板（第２中央整地板）12と同様、圃場の泥水を後方へ流出させるための開口面積の大きさ（開口量）を調整可能な複数の泥水流出用の延長切欠部（エジャクター部）51を後端側に有している。
【００４６】
つまり、第２延長整地板32の延長整地板本体部36は、互いに間隔をおいて左右方向に並んで位置する複数の延長切欠部51が後端部に後方に向かって開口するように切欠き形成され、延長耕耘体23の後方で水平姿勢となって整地作業をする左右方向長手状で板状の延長整地部材52と、この延長整地部材52に対して少なくとも左右移動（例えば左右移動のみ）により位置変更可能な板状の複数（例えば左右それぞれ３枚ずつ）の延長調整部材53とを有している。
【００４７】
そして、延長調整部材53の延長整地部材52に対する位置変更（例えば左右移動）により、複数の延長切欠部51の大きさ、すなわち延長整地体22による整地作業時における複数の延長切欠部51の平面視開口面積の大きさを調整することが可能となっている。
【００４８】
延長整地部材52は、延長平板部54を後端部に有し、この延長平板部54に複数の延長切欠部51が後方に向かって開口する平面視三角形状（略三角形状を含む）にすべて同一寸法で形成されている。延長整地部材52の延長平板部54のうち、互いに隣り合う両延長切欠部51間に位置する部分には、円形状のねじ挿通用孔55が形成されている。
【００４９】
なお、延長整地部材52の上面には、左右方向長手状の角パイプ部材34が固設されている。また、延長整地部材52に形成される複数の延長切欠部51がすべて同一寸法である必要は必ずしもなく、一部が異なる寸法であってもよい。
【００５０】
延長調整部材53は、中央側の調整部材43と同様、例えば複数（例えば２個或いは３個）の延長切欠部51に対して同時にそれらの大きさを調整可能なもので、左右方向にやや長手状の平板状に形成され、その左右方向長さ寸法が少なくとも２個の延長切欠部51よりも長くなっている。そして、平板状の延長調整部材（スライド部材）53は、延長整地部材52の延長平板部54の上面にこの上面に沿って左右方向にスライド可能に設けられ、その延長平板部54の上面に重なり合っている。
【００５１】
また、延長調整部材53には、延長整地部材52の延長切欠部51と同一寸法の平面視三角形状（略三角形状を含む）の複数の切欠部分56が後方に向かって開口するように切欠き形成されている。延長調整部材53には、左右方向に長手方向を有する複数のスライド孔である長孔57が形成されている。
【００５２】
そして、延長整地部材52の下方側から雄ねじ58がねじ挿通用孔55および長孔57に挿通され、この挿通された雄ねじ58の上部に雌ねじ59が螺合されることによって、延長調整部材53が延長整地部材52にその上面に沿って左右方向にスライド可能に取り付けられている。
【００５３】
雄ねじ58は、例えばトラスねじ或いはナベ小ねじ等であるが、延長整地部材52の下面からの突出量が小さくなるよう、ねじ頭部の小さいものが好ましい。雌ねじ59は、六角ナット、蝶ナット或いはノブナット等であるが、作業者が工具を用いずに手動で操作可能なものが好ましい。なお、これら雄ねじ58および雌ねじ59にて、延長調整部材53を延長整地部材52に対して解除可能に固定するための固定手段60が構成されており、この固定手段60は例えば工具なし（工具レス）で手動操作可能となっている。
【００５４】
そして、雌ねじ59を緩めて固定手段60による固定を解除した状態で、延長調整部材53を延長整地部材52に対して延長切欠部51と切欠部分56とが互いにずれるように延長整地部材52の上面に沿って閉方向へスライドさせると、延長切欠部51の一部が延長調整部材53にて閉鎖され、その分だけ延長切欠部51の大きさが小さくなるが、延長調整部材53を逆の開方向にスライドさせれば、閉鎖されていた部分が開口する。
【００５５】
なお、延長整地体22の補助整地板33には、開口面積の大きさ（開口量）が均等な同一寸法の複数の泥水流出用の補助切欠部（エジャクター部）61が形成されている。つまり、補助整地板33の本体部38の後端部には、互いに間隔をおいて左右方向に並んで位置する複数の補助切欠部61が後方に向かって開口する平面視三角形状（略三角形状を含む）に形成されている（図１参照）。
【００５６】
そして、例えば図１に示す例では、中央作業部２の第２整地板12においては、複数の切欠部41の大きさは、所望の調整部材43による一部閉鎖（一部遮蔽）に基づき、第２整地板12の左右方向中央部側から第２整地板12の左右方向両端部側に向かって数個ずつ段階的に減少するように相似的に異なっている。
【００５７】
また、左右の延長作業部３の第２延長整地板32においては、複数の延長切欠部51の大きさは、所望の延長調整部材53による一部閉鎖（一部遮蔽）に基づき、第２延長整地板32の内側端部側から第２延長整地板32の外側端部側に向かって数個ずつ段階的に減少するように相似的に異なっている。
【００５８】
なお例えば図示しないが、第２整地板12における複数の切欠部41の大きさが第２整地板12の左右方向中央部側から左右方向両端部側に向かって数個ずつ段階的に増大するように相似的に異なり、かつ、第２延長整地板32における複数の延長切欠部51の大きさが第２延長整地板32の内側端部側から外側端部側に向かって数個ずつ段階的に増大するように相似的に異なるように調整することも可能である。つまり、作業者は、例えば圃場の土質や作業方法等に応じて、複数の切欠部41，51の大きさを任意に調整可能である。
【００５９】
なお、作業時に圃場の泥水を後方へ流出させるための切欠部41，51，61は、例えば本体部13，36，38の後端に底辺を有する相似形の二等辺三角形状に形成されている。そして、例えば少なくとも切欠部41および延長切欠部51の各底辺は、左右方向に沿った仮想直線ａ上に位置している（図３参照）。なお、中央に位置する１つの第２整地板12と、左右１対の第２延長整地板32と、左右１対の補助整地板33とにて、後端整地部10が構成されている。
【００６０】
次に、上記第１の実施の形態に係る農作業機１の作用等を説明する。
【００６１】
例えばトラクタに連結した農作業機１の左右の延長作業部３を展開作業状態に設定し、圃場内でのトラクタの前進走行により農作業機１を進行方向に前方移動させると、中央作業部２の耕耘体および両延長作業部３の延長耕耘体23が耕耘作業をし、かつ、中央作業部２の整地体７および両延長作業部３の延長整地体22が整地作業をする。
【００６２】
この際、圃場の泥水は、後端整地部10の切欠部41，51，61を通って後方へ流出するが、切欠部41，51が調整部材43，53によって所望の大きさに調整されているため、その泥水は農作業機１の左右方向中央側に向かって流れる。
【００６３】
つまり、整地体７の第２整地板12においては、左右方向に並ぶ複数の切欠部41の大きさが、第２整地板12の左右方向中央部側から左右方向両端部側に向かって減少するように調整されていることから、左右方向中央部側での後方への流出量が左右方向両端部側に比べて多く、このため、第２整地板12の左右方向両端部側から左右方向中央部側へ向かう泥水の流れが生じる。
【００６４】
また、延長整地体22の第２延長整地板32においては、左右方向に並ぶ複数の延長切欠部51の大きさが、第２延長整地板32の内側端部側から外側端部側に向かって減少するように調整されていることから、内側端部側での後方への流出量が外側端部側に比べて多く、このため、第２延長整地板32の外側端部側から内側端部側へ向かう泥水の流れが生じる。
【００６５】
その結果、例えば稈等の雑物が多く混じった土質の圃場であっても、稈等の雑物は、後端整地部10の左右方向中央側に向かって泥水とともに流動することとなり、後端整地部10の外側方へは流れ出ない。
【００６６】
したがって、このような農作業機１によれば、適切な整地作業をすることが可能であり、圃場面を均平に整地することができる。
【００６７】
また、調整部材43，53の整地部材42，52に対する左右スライドによる位置変更により、切欠部41，51の大きさを容易かつ適切に調整することができる。
【００６８】
さらに、固定手段50，60による固定およびその解除は、工具を用いずに手動操作で行うことができるので、切欠部41，51の大きさをより一層容易に調整できる。
【００６９】
次に、図５（ａ）ないし（ｃ）には、本発明の第２の実施の形態が示されている。
【００７０】
この図５に示す実施の形態のように、整地体７の第２整地板12の整地部材42のうち、互いに隣り合う両切欠部41間に位置する部分に、下方に向かって膨出する下方凸部66が形成された構成でもよい。なお、例えば第２延長整地板32の延長整地部材52に下方凸部を形成してもよい。
【００７１】
また、図６（ａ）ないし（ｃ）には、本発明の第３の実施の形態が示されている。
【００７２】
この図６に示す実施の形態のように、整地体７の第２整地板12の整地部材42が、上方に向かって膨出する複数の上方凸部67を有し、この各上方凸部67に切欠部41が形成された構成でもよい。なお、例えば第２延長整地板32の延長整地部材52に上方凸部を形成してもよい。
【００７３】
さらに、図７には、本発明の第４の実施の形態が示されている。
【００７４】
この図７に示す実施の形態のように、調整部材43が整地部材42に対して少なくとも前後移動（例えば前後移動のみ）により位置変更可能となっている構成でもよい。
【００７５】
この構成では、調整部材43の長孔47は前後方向に長手方向を有し、かつ、調整部材43の切欠部分46は切欠部41とは異なる形状（例えば略正三角形）に形成されている。そして、調整部材43は、整地部材42の平板部44の上面にこの上面に沿って前後方向にスライド可能に設けられている。なお、例えば延長調整部材53を延長整地部材52に対して少なくとも前後移動（例えば前後移動のみ）により位置変更可能な構成としてもよい。
【００７６】
また、図８（ａ）ないし（ｃ）には、本発明の第５の実施の形態が示されている。
【００７７】
この図８に示す実施の形態のように、調整部材43が整地部材42に対して少なくとも回動により位置変更可能となっている構成でもよい。
【００７８】
この構成では、調整部材43は、例えば複数（例えば８個）の切欠部41に対して同時にそれらの大きさを調整可能なもので、左右方向長手状の平板状に形成されている。また、調整部材43の長手方向両端部には円形状のねじ挿通用孔45が形成され、かつ、整地部材42の平板部44のうちそのねじ挿通用孔45と対向する部分には前後方向長手状の長孔47が形成されている。なお、調整部材43には切欠部分46が形成されていない。
【００７９】
そして、前記実施の形態と同じように、整地部材42の下方側から雄ねじ48がねじ挿通用孔45および長孔47に挿通され、この挿通された雄ねじ48の上部に雌ねじ49が螺合されることによって、調整部材43が整地部材42にその上面に沿って回動および前後移動するようにスライド可能に取り付けられている。
【００８０】
例えば図８（ｂ）のように、調整部材43を整地部材42に対して回動させて左右方向に対して傾斜状とし、この傾斜状の調整部材43を固定手段50にて整地部材42に固定した状態では、複数の切欠部41の大きさは、調整部材43による一部閉鎖（一部遮蔽）に基づき、第２整地板12の左右方向中央部側から左右方向端部側に向かって１個ずつ漸次的に減少するように異なっている。なお、調整部材43の傾斜を逆にすれば、複数の切欠部41の大きさが第２整地板12の左右方向中央部側から左右方向端部側に向かって１個ずつ漸次的に増大するように異なる。
【００８１】
また、例えば図８（ｃ）のように、調整部材43を整地部材42に対して後方へ平行移動させて整地部材42に固定した状態では、複数の切欠部41の大きさは、調整部材43による一部閉鎖（一部遮蔽）に基づき、すべて同じ量だけ小さくなっている。なお、例えば延長調整部材53を延長整地部材52に対して少なくとも回動により位置変更可能な構成としてもよい。また、図８では、固定手段50の図示が省略されている。
【００８２】
さらに、図９には、本発明の第６の実施の形態が示されている。
【００８３】
この図９に示す実施の形態のように、整地部材42の後端部で左右方向に並んで位置する複数の切欠部41のうち、少なくともトラクタの走行輪である左右の各後輪（トラクタタイヤ）70の後方（略後方を含む）に位置する複数の切欠部41の大きさ（例えば後輪70の後方に位置する切欠部41の大きさのみ）が、調整部材43の整地部材42に対する位置変更（例えば左右位置変更）によって、減少できるように調整可能となっている構成でもよい。
【００８４】
なお、この図９のように調整部材43が整地部材42の上面に沿って左右方向にスライド可能に設けられた構成には限定されず、例えば調整部材43が整地部材42の上面に沿って前後方向にスライド可能に設けられた構成や、調整部材43が整地部材42の上面に沿って回動するようにスライド可能に設けられた構成等でもよい。
【００８５】
そして、図９に示すように、調整部材43によって後輪70の後方に位置する切欠部41の大きさのみを、残りの他の切欠部41の大きさよりも小さく調整した場合には、適切な整地作業をすることが可能であり、圃場面を均平に整地することができる。
【００８６】
つまり、複数の切欠部41の大きさがすべて均等である場合には、トラクタの後輪70による溝（トラクタタイヤ跡の凹部）の分だけ泥水の後方への流出量が多く、泥水が溝の外側に向かって流れやすいため、溝が埋まりにくい。これに対し、図９の場合には、トラクタの後輪70の後方の切欠部41の大きさが残りの他の切欠部41の大きさよりも小さいため、泥水の後方への流出量が全体にわたって同じになり、その結果、泥水が溝の外側に向かって流れにくくなり、溝が埋まりやすく圃場面が均平になる。
【００８７】
このように、図９に示す農作業機１によれば、適切な整地作業をすることが可能であり、圃場面を均平に整地することができる。
【００８８】
なお、上記いずれの実施の形態においても、農作業機１は、折り畳み可能な３分割のものには限定されず、例えば延長作業部３を備えず、第２整地板12のみからなる後端整地部10を有した構成等でもよい。
【００８９】
また、例えば各切欠部41ごとに調整部材が設けられ、複数の切欠部41の大きさを１個ずつ個別に調整可能な構成としてもよい。
【００９０】
さらに、整地体７および延長整地体22に形成された複数の切欠部41および延長切欠部51のすべてについて、その大きさを調整可能な構成には限定されず、それら複数の切欠部41，51のうちの少なくとも１つの切欠部41，51の大きさを調整可能な構成であればよく、例えば所定の切欠部41，51のみについてその大きさを調整可能な構成でもよい。
【００９１】
また、例えば補助整地板33の補助切欠部61の大きさを調整可能な構成としてもよい。
【００９２】
なお、本発明のいくつかの実施の形態およびその変形例について説明したが、本発明の要旨を逸脱しない範囲で各実施の形態および各変形例を適宜組み合わせることも可能である。
【符号の説明】
【００９３】
１    農作業機
７    整地体
41    切欠部
42    整地部材
43    調整部材
50    固定手段
70    走行輪である後輪
【図１】
2015123029.tif 000003
【図２】
2015123029.tif 000004
【図３】
2015123029.tif 000005
【図４】
2015123029.tif 000006
【図５】
2015123029.tif 000007
【図６】
2015123029.tif 000008
【図７】
2015123029.tif 000009
【図８】
2015123029.tif 000010
【図９】
2015123029.tif 000011